(57)【要約】【課題】複数バージョンの広告情報を含む広告情報群を受信するデジタル放送受信機において、ユーザがバージョンを選択して広告情報を見ることができるようにすることにある。【解決手段】複数バージョンの広告情報を含む広告情報群を受信するデジタル放送受信機において、バージョンを選択するためのバージョン選択画面を表示するためのボタン画像を広告情報の画面に重ねて表示し、ボタン画像が選択されるとバージョン選択画面を表示する。ボタン画像の選択に同期して、複数バージョンの広告情報を連動データとして記憶するとともにタイムシフトを開始する。そして、バージョン選択画面で何れかのバージョンが選択されると、記憶された連動データを読み出して選択されたバージョンの広告情報を最初から表示するように切り換えることにより、デジタル放送の本放送の表示の間に複数バージョンの広告情報を選択して表示できるようにしたことを特徴とする。【選択図】      図６
2004229000.tif 000002
【特許請求の範囲】
【請求項１】
複数バージョンの広告情報を含む広告情報群を受信するデジタル放送受信機において、
前記バージョンを選択するためのバージョン選択画面を表示するためのボタン画像を前記広告情報の画面に重ねて表示し、前記ボタン画像が選択されるとバージョン選択画面を表示し、
前記ボタン画像の選択に同期して、前記複数バージョンの広告情報を連動データとして記憶するとともにタイムシフトを開始し、
前記バージョン選択画面で何れかのバージョンが選択されると、前記記憶された連動データを読み出して、選択されたバージョンの広告情報を最初から表示するように切り換えることにより、
デジタル放送の本放送の表示の間に複数バージョンの広告情報を選択して表示できるようにしたことを特徴とする、デジタル放送受信機。
【請求項２】
複数バージョンの広告情報を含む広告情報群を受信するデジタル放送受信機であって、
前記広告情報群の何れかのバージョンの広告情報を表示する広告表示手段と、前記広告情報群の複数のバージョンから何れかのバージョンの選択を受け付けるバージョン選択手段と、
前記広告表示手段による表示を前記選択されたバージョンの広告情報の表示に切り換えるバージョン切換手段と、
を備えることを特徴とするデジタル放送受信機。
【請求項３】
前記広告表示手段は、デジタル放送信号の受信に伴いリアルタイムに広告情報を表示し、
前記バージョン切換手段は、前記広告表示手段による表示を前記選択されたバージョンの広告情報の切換時以降の部分の表示に切り換える、
請求項２に記載のデジタル放送受信機。
【請求項４】
前記バージョン選択手段は、
前記バージョンの選択を受け付けるためのバージョン選択画面を表示する選択画面表示手段と、
前記バージョン選択画面を介してバージョンの選択を受け付ける画面受付手段と、
を有する請求項２又は３に記載のデジタル放送受信機。
【請求項５】
前記広告情報群の複数バージョンの広告情報は、互いに関連付けられた連動データであり、
前記複数バージョンの広告情報を連動データとして記憶する広告記憶部をさらに備え、
前記バージョン切換手段は、前記広告表示手段による表示を前記選択されたバージョンの広告情報の最初からの表示に切り換える、
請求項２に記載のデジタル放送受信機。
【請求項６】
前記選択手段は、
前記バージョンの選択を受け付けるためのバージョン選択画面を表示するためのボタン画像を広告情報の画面に重ねて表示するボタン画像表示手段と、
前記ボタン画像が選択されると、前記バージョン選択画面を表示する選択画面表示手段と、
前記バージョン選択画面を介してバージョンの選択を受け付ける画面受付手段とを有し、
前記バージョン切り換え手段は、
前記ボタン画像の選択と同期して、複数バージョンの広告情報を連動データとして前記広告記憶部に記憶すると共にタイムシフトを開始し、前記バージョン選択画面で何れかのバージョンが選択されると、前記記憶された連動データを読み出して、選択されたバージョンの広告情報を最初から表示するように切り換える、請求項５に記載のデジタル放送受信機。
【請求項７】
複数バージョンの広告情報を含む広告情報群を受信し、外部の表示装置に出力するデジタル放送チューナ装置であって、
前記広告情報群の何れかのバージョンの広告情報を前記表示装置に表示する広告表示手段と、
前記広告情報群の複数のバージョンから何れかのバージョンの選択を受け付けるバージョン選択手段と、
前記広告表示手段による表示を前記選択されたバージョンの広告情報の表示に切り換えるバージョン切換手段と、
を備えることを特徴とするデジタル放送チューナ装置。
【発明の詳細な説明】
【０００１】
【発明の属する技術分野】
本発明は、デジタル放送受信機、特に、複数バージョンの広告情報を含む広告情報群を受信するデジタル放送受信機に関する。
【０００２】
【従来の技術】
特許文献１には、放送番組内容を複数の放送部分に分割し、各放送部分に関連する広告情報のみを対応させて表示する放送装置及び放送再生装置が記載されている。この装置では、ユーザが何れかの放送部分を選択し、選択された放送部分及びそれに関連する広告情報のみを表示することにより、ユーザに好みや嗜好に応じた広告情報を提供するようにしている。また、広告情報に複数のバージョンがある場合には、ユーザが放送部分を選択する毎に、異なるバージョンの広告情報を表示することにより、広告効果を高めることが記載されている。
【０００３】
【特許文献１】
特開２０００−２３１３８号公報（第４−８頁、第２−３図）
【０００４】
【発明が解決しようとする課題】
しかし、特許文献１の装置では、ユーザが選択できるのは放送部分であって、放送部分に関連する広告情報は装置側で設定されたバージョンが表示される。従って、特許文献１の装置では、ユーザが広告情報のバージョンを選択することができない。例えば、ストーリ性を持った広告情報の場合、ユーザが、第２話バージョンを見ているときに第１話バージョンをもう一度見たいと思っても選択することができない。また、ユーザによっては、深夜に視聴することが多く、その時間帯には特定のバージョンばかりが放送される場合に、別のバージョンを表示させたい場合がある。このような場合に、広告情報のバージョンをユーザが選択して見ることができない。
【０００５】
本発明の目的は、複数バージョンの広告情報を含む広告情報群を受信するデジタル放送受信機において、ユーザがバージョンを選択して広告情報を見ることができるようにすることにある。
【０００６】
【課題を解決するための手段】
第１発明に係るデジタル放送受信機は、複数バージョンの広告情報を含む広告情報群を受信するデジタル放送受信機において、バージョンを選択するためのバージョン選択画面を表示するためのボタン画像を広告情報の画面に重ねて表示し、ボタン画像が選択されるとバージョン選択画面を表示し、ボタン画像の選択に同期して複数バージョンの広告情報を連動データとして記憶するとともにタイムシフトを開始する。そして、バージョン選択画面で何れかのバージョンが選択されると、記憶された連動データを読み出して、選択されたバージョンの広告情報を最初から表示するように切り換えることにより、デジタル放送の本放送の表示の間に複数バージョンの広告情報を選択して表示できるようにしたことを特徴とする。
【０００７】
ここで、広告情報のバージョンは、ストーリ性のある各場面ごとバージョン、広告対象ごとのバージョン、商品の売り場ごとのバージョン等である。ストーリ性のある各場面ごとのバージョンは、例えば、朝の場面、昼の場面、夜の場面である。広告対象ごとのバージョンは、例えば、子供向け、大人向け等の年齢層ごとのバージョン、男性向け、女性向けの性別ごとのバージョンである。商品の売り場ごとのバージョンは、例えば、デーパートの広告情報において、食品売り場、家具売り場等の売り場ごとのバージョンである。
【０００８】
このデジタル放送受信機によれば、広告情報が複数のバージョンを有する場合にも、ユーザからバージョンの選択を受け付けて、ユーザが見たいバージョンの広告情報を表示させることができる。
また、複数のバージョンの広告情報は、連動データとして広告記憶部に記憶されるため、あるバージョンの広告情報の表示中に別のバージョンが選択されても、別のバージョンの広告情報の最初の部分から表示することができる。
【０００９】
また、タイムシフトで広告後の本放送の表示開始を遅らせることにより、広告情報の表示に割り当てられた時間に関わらず、ユーザが選択するバージョンの広告情報を全て表示させることができる。
第２発明に係るデジタル放送受信機は、複数バージョンの広告情報を含む広告情報群を受信するデジタル放送受信機であって、広告表示手段と、バージョン選択手段と、バージョン切換手段とを備えている。広告表示手段は、広告情報群の何れかのバージョンの広告情報を表示する。バージョン選択手段は、広告情報群の複数のバージョンから何れかのバージョンの選択を受け付ける。バージョン切換手段は、広告表示手段による表示を選択されたバージョンの広告情報の表示に切り換える。
【００１０】
このデジタル放送受信機によれば、広告情報が複数のバージョンを有する場合にも、ユーザからバージョンの選択を受け付けて、ユーザが見たいバージョンの広告情報を表示させることができる。
第３発明に係るデジタル放送受信機は、第２発明に係るデジタル放送受信機において、広告表示手段はデジタル放送信号の受信に伴いリアルタイムに広告情報を表示し、バージョン切換手段は、広告表示手段による表示を選択されたバージョンの広告情報の切換時刻以降の部分の表示に切り換える。
【００１１】
この場合、デジタル放送信号を受信するとともにリアルタイムに表示する場合にも、あるバージョンの広告情報の表示中に別のバージョンの広告情報に切り換えて表示させることができる。
第４発明に係るデジタル放送受信機は、第２又は第３発明に係るデジタル放送受信機において、バージョン選択手段は、バージョンの選択を受け付けるためのバージョン選択画面を表示する選択画面表示手段と、バージョン選択画面を介してバージョンの選択を受け付ける画面受付手段とを有している。
【００１２】
この場合、広告情報のバージョンの選択画面が表示されるため、ユーザは表示中の広告情報に複数のバージョンがあることを知ることができる。また、選択画面を介して他のバージョンを容易に選択することができる。
第５発明に係るデジタル放送受信機は、第２発明に係るデジタル放送受信機において、広告情報群の複数バージョンの広告情報は互いに関連付けられた連動データである。また、複数バージョンの広告情報を連動データとして記憶する広告記憶部をさらに備え、バージョン切換手段は、広告表示手段による表示を選択されたバージョンの広告情報の最初からの表示に切り換える。
【００１３】
この場合、複数のバージョンの広告情報は、連動データとして広告記憶部に記憶されるため、あるバージョンの広告情報の表示中に別のバージョンが選択されても、別のバージョンの広告情報の最初の部分から表示することができる。
第６発明に係るデジタル放送受信機は、第５発明に係るデジタル放送受信機において、選択手段は、バージョンの選択を受け付けるためのバージョン選択画面を表示するためのボタン画像を広告情報の画面に重ねて表示するボタン画像表示手段と、ボタン画像が選択されるとバージョン選択画面を表示する選択画面表示手段と、バージョン選択画面を介してバージョンの選択を受け付ける画面受付手段とを有する。また、バージョン切り換え手段は、ボタン画像の選択と同期して、複数バージョンの広告情報を連動データとして広告記憶部に記憶すると共にタイムシフトを開始する。そして、バージョン選択画面で何れかのバージョンが選択されると、記憶された連動データを読み出して、選択されたバージョンの広告情報を最初から表示するように切り換える。
【００１４】
この場合、タイムシフトで広告後の本放送の表示開始を遅らせることにより、広告情報の表示に割り当てられた時間に関わらず、ユーザが選択するバージョンの広告情報を全て表示させることができる。
第７発明に係るデジタル放送チューナ装置は、複数バージョンの広告情報を含む広告情報群を受信し、外部の表示装置に出力するデジタル放送チューナ装置であって、広告情報群の何れかのバージョンの広告情報を表示装置に表示する広告表示手段と、広告情報群の複数のバージョンから何れかのバージョンの選択を受け付けるバージョン選択手段と、広告表示手段による表示を選択されたバージョンの広告情報の表示に切り換えるバージョン切換手段とを備えることを特徴とする。
【００１５】
このデジタル放送チューナ装置は、第２発明に係るデジタル放送受信機の場合と同様の作用効果を奏する。
【００１６】
【発明の実施の形態】
（１）第１実施形態
（１−１）構成
図１は、本発明の一実施形態に係るデジタル放送受信機のブロック図である。このデジタル放送受信機は、放送受信部１と、記憶制御部２と、記憶部３と、再生部４と、表示部５と、制御部６と、操作部７と、赤外線受信部８とを備えている。放送受信部１は、本放送及び広告情報が含まれるデジタル放送信号を受信する。記憶制御部２は、デジタル放送信号を記憶部３への書き込みを制御する。記憶部３は、デジタル放送信号を記憶する記憶手段であり、メモリ又はハードディスクである。再生部４は、デジタル放送信号をアナログ信号に変換して表示部５に出力する。表示部５は、ＣＲＴ、ＬＣＤ等の表示手段であり、再生部４からの出力に基づいて本放送及び広告情報を表示する。制御部６は、デジタル放送受信機全体の動作を制御する。また、制御部６には操作部７及び赤外線受信部８が接続されている。操作部７は、デジタル放送受信機本体のフロントパネル等に設けられたボタン等であり、ユーザからの入力を受け付ける。赤外線受信部８は、ユーザにより操作されるリモコンからの赤外線を受信する。本実施形態では、放送受信部１が受信したデジタル放送信号を記憶制御部２を介して再生部４に入力し、受信した信号をリアルタイムで処理して表示部５に表示する。
【００１７】
（１−２）データ構成
図２は、デジタル放送信号に含まれる受信データと、表示部５に表示される表示データの一例である。ここでは、本放送１と本放送２との間に２つの広告情報ＣＭ１及びＣＭ２が放送される場合を例に挙げて説明する。なお、本放送間のＣＭは２つに限られるものではなく、１つであっても、３つ以上であっても良い。また、ここでは、デジタル放送信号を受信してリアルタイムに表示する場合を例に説明する。
【００１８】
広告情報ＣＭ１は、ＣＭ１−１〜ＣＭ１−３の３つのバージョンを含んでおり、これらのＣＭ１−１〜ＣＭ１−３を同時に受信する。広告情報ＣＭ２は、ＣＭ２−１〜ＣＭ２−２の２つのバージョンを含んでおり、これらのＣＭ２−１〜ＣＭ２−２を同時に受信する。ここで、広告情報のバージョンは、ストーリ性のある各場面ごとバージョン、広告対象ごとのバージョン、商品の売り場ごとのバージョン等である。ストーリ性のある各場面ごとのバージョンは、例えば、朝の場面、昼の場面、夜の場面である。広告対象ごとのバージョンは、例えば、子供向け、大人向け等の年齢層ごとのバージョン、男性向け、女性向けの性別ごとのバージョンである。商品の売り場ごとのバージョンは、例えば、デーパートの広告情報において、食品売り場、家具売り場等の売り場ごとのバージョンである。
【００１９】
表示部５に表示される広告情報は、通常は、放送局側で決められた順序で表示される。例えば、本放送１と本放送２の表示の間時刻ｔ１〜ｔ７にＣＭ１−１、ＣＭ２−１が順に表示され、他の本放送の間にＣＭ１及びＣＭ２の別のバージョンが表示される。しかし、この場合、広告情報のバージョンをユーザが選択して見ることができない。例えば、ストーリ性を持った広告情報の場合、ユーザが、第２話バージョンのＣＭ１−２を見ているときに第１話バージョンのＣＭ１−１をもう一度見たいと思っても選択することができない。また、ユーザによっては、深夜に視聴することが多く、その時間帯には特定のバージョンＣＭ１−１ばかりが放送される場合に、別のバージョンＣＭ１−２やＣＭ１−３を表示させたい場合がある。
【００２０】
そこで本実施形態では、ＣＭ１−１の表示中にＣＭ１の別のバージョンであるＣＭ１−２及び１−３に切り換えて表示する。図２の表示データには、広告情報の切り換えの一例を示している。ここでは、通常であれば時刻ｔ１〜ｔ４ではＣＭ１−１が表示される場合に、ＣＭ１−１の表示中である時刻ｔ２においてユーザからの指示を受け付けて、ＣＭ１−１の表示をＣＭ１−２の表示に切り換える。複数のバージョンのＣＭ１−１〜ＣＭ１−３は同時に受信しているため、切換後の表示はＣＭ１−２の時刻ｔ２以降の部分が表示される。同様に、時刻ｔ３でＣＭ１−２からＣＭ１−３に表示を切り換える。また、通常は、時刻ｔ４〜ｔ７ではＣＭ２−１が表示される場合に、時刻ｔ５においてＣＭ２−２に切り換え、時刻ｔ６で再びＣＭ２−１に表示を戻す。
【００２１】
（１−３）画面例
図３は、広告情報ＣＭ１のバージョン切り換え時の表示画面例である。
同図（ａ）は、図２の時刻ｔ１〜ｔ２に対応し、表示部５にＣＭ１が表示されると共に選択画面９がＯＳＤ表示される。選択画面９は、ＣＭ１の３つのバージョンのそれぞれに対応するバージョン番号「１」、「２」、「３」を含む。選択画面９では、例えば、現在表示している広告情報のバージョン番号「１」の領域が他のバージョン番号と識別できるようにマークされる。例えば、同図（ａ）の場合、ＣＭ１−１が表示されているので、バージョン番号「１」がマークされている。ユーザは、操作部７又はリモコンによってバージョン番号を選択し、広告情報のバージョンを切り換える。
【００２２】
図２の時刻ｔ２において、ユーザが操作部７又はリモコンによってバージョン番号「２」に切り換えると、矢印▲１▼のように図３（ａ）から（ｂ）に画面が切り換わる。即ち、選択画面９のバージョン番号「２」の領域がマークされ、広告情報はＣＭ１−１からＣＭ１−２に切り換わる。同様に、図２の時刻ｔ３において、ユーザがバージョン番号「３」に切り換えると、矢印▲２▼のように図３（ｂ）から（ｃ）に画面が切り変わる。即ち、ＣＭ１−２からＣＭ１−３に表示が切り換わる。図２では、ＣＭ１−１からＣＭ１−２に切り換える場合及びＣＭ１−２からＣＭ１−３に切り換える場合を示しているが、各ＣＭ１−１、ＣＭ１−２、ＣＭ１−３の間で相互に切り換えることもできる。バージョンを切り換えた場合は、切り換え時移行の部分が途中から表示されるが、切換の回数に制限はなく、何度でも切り換えることができる。
【００２３】
図４は、広告情報ＣＭ２のバージョン切り換え時の表示画面例である。ここでは、選択画面９は、ＣＭ２のバージョンに対応してバージョン番号「１」、「２」を含む。ＣＭ２も、前記同様に、図２の時刻ｔ５において矢印▲１▼のようにＣＭ２−１からＣＭ２−２に表示が切り換わり、図２の時刻ｔ６において矢印▲２▼のようにＣＭ２−２からＣＭ２−１に表示が切り換わる。
【００２４】
（１−４）フローチャート
図５は、広告情報のバージョン切り換え処理のフローチャートである。本放送が終了すると、ステップＳ１１では、広告情報の表示を開始するとともに、広告情報に複数のバージョンがある場合には選択画面９を表示する。選択画面９は、表示中の広告情報のバージョン番号がマークされるように表示する。ステップＳ１２では、操作部７又はリモコンによってユーザからバージョンの切り換えを受け付けたか否かを判別する。バージョンの切換を受け付けていない場合にはステップＳ１２の処理を繰り返す。一方、バージョンの切換を受け付けた場合には、ステップＳ１３に移行する。ステップＳ１３では、選択画面９のマークを選択されたバージョン番号に切り換え、広告情報を選択されたバージョンの表示に切り換え、その後ステップＳ１２に戻る。
【００２５】
（１−５）まとめ
本実施形態に係るデジタル放送受信機によれば、広告情報が複数のバージョンを有する場合に、ユーザの選択により広告情報のバージョンを切り換えて表示させることができる。
また、広告情報のバージョンの切り換えを受け付けるための選択画面９を広告情報の表示に重ねてＯＳＤ表示するので、ユーザは、表示中の広告情報に複数のバージョンがあることを知ることができ、容易にバージョンの切り換えを行うことができる。
（２）第２実施形態
（２−１）構成
上記実施形態では、デジタル放送データを受信とともに本放送及び広告情報をリアルタイムに表示部５に表示する場合を示したが、本実施形態では、広告情報の切り換えの際にタイムシフト機能を用いる。本実施形態に係るデジタル放送受信機も図１に記載の構成と同様の構成である。本実施形態では、タイムシフトが開始すると、放送受信部１で受信したデジタル放送信号を記憶制御部２により記憶部３に蓄積し、必要に応じて記憶制御部２により記憶部３から読み出して再生部４で再生する。
【００２６】
（２−２）データ構成
図６は、デジタル放送信号に含まれる受信データと、表示部５に表示される表示データの一例である。ここでは、ＣＭ１−１の表示中の時点Ａにおいて、例えばリモコンの「ｄ」ボタンが押されるとタイムシフトを開始し、ＣＭ１−１〜ＣＭ１−３、ＣＭ２−１〜ＣＭ２−２、本放送２を記憶部３に記憶する。この際、ＣＭ１−１〜ＣＭ１−３を互いに連動する連動データとして記憶するとともに、ＣＭ２−１〜ＣＭ２−２も互いに連動する連動データとして記憶する。そして、ＣＭ１−１の表示中にＣＭ１−２に切り換えられると、ＣＭ１−２のデータを記憶部３から読み出して、ＣＭ１−２を最初から表示部５に表示する。ＣＭ１−２からＣＭ１−３に切り換えられた場合も、同様に、ＣＭ１−３を最初から表示する。ＣＭ２−１及びＣＭ２−２の表示についても同様である。このようにバージョンを切り換えた場合も、切り換え後のバージョンの広告情報を最初から表示すると、本来の広告情報の表示時間が長くなってしまうが、タイムシフトにより広告情報の表示の終了後に本放送２を記憶部３から読み出して表示することができる。
【００２７】
（２−３）画面例
図７は、タイムシフト開始時の画面例である。広告情報ＣＭ１に複数バージョンがある場合、同図（ａ）に示すように、広告情報ＣＭ１に重ねてボタン画像１０をＯＳＤ表示する。このボタン画像１０は、「ｄ」ボタン押下の受け付けを促すように、例えば「Ｄ」の文字を含んで表示される。なお、「ｄ」ボタンの押下を指示する画像であればこれに限らない。「ｄ」ボタンが押下されることによりボタン画像１０が選択されると、同図（ｂ）に示すように前記同様の選択画面９が表示されるとともに、タイムシフトを開始し、ＣＭ１−１〜ＣＭ１−３、ＣＭ２−１〜ＣＭ２−２、本放送２を記憶部３に記憶する。上述したように、ＣＭ１−１〜ＣＭ１−３を互いに連動する連動データとして記憶するとともに、ＣＭ２−１〜ＣＭ２−２も互いに連動する連動データとして記憶する。選択画面９の表示後の画面例については、図３又は図４と同様であるので説明を省略する。但し、本実施形態では、切り換え後のバージョンの広告情報は最初の部分から表示される点が異なる。
【００２８】
（２−４）フローチャート
図８は、広告情報のバージョン切り換え処理のフローチャートである。本放送が終了すると、ステップＳ２１において、広告情報の表示を開始するとともに、広告情報に複数のバージョンがある場合にはボタン画像１０を表示する。ステップＳ２２では、ユーザの「ｄ」ボタンの押下によりボタン画像１０が選択されたか否かを判別する。ボタン画像１０が選択されていない場合にはステップＳ２２の処理を繰り返す。一方、ボタン画像１０が選択された場合にはステップＳ２３に移行する。ステップＳ２３では、タイムシフトを開始し、ＣＭ１−１〜ＣＭ１−３、ＣＭ２−１〜ＣＭ２−２、本放送２を記憶部３に記憶する。上述したように、ＣＭ１−１〜ＣＭ１−３を互いに連動する連動データとして記憶するとともに、ＣＭ２−１〜ＣＭ２−２も互いに連動する連動データとして記憶する。ステップＳ２４では、広告情報に複数のバージョンがある場合には選択画面９を表示し、ステップＳ２５に移行する。ステップＳ２５では、広告情報のバージョンの切り換えを受け付けたか否かを判別する。バージョンの切り換えを受け付けていない場合にはステップ２５の処理を繰り返す。一方、バージョンの切り換えを受け付けた場合には、ステップ２６に移行する。ステップＳ２６では、広告情報を選択されたバージョンに切り換え、切り換え後のバージョンの広告情報を最初から表示する。その後、ステップＳ２５に戻る。
【００２９】
（２−５）まとめ
本実施形態に係るデジタル放送受信機によれば、上記実施形態同様に、ユーザの選択により広告情報のバージョンを切り換えて表示させることができる。
また、「ｄ」ボタンの押下を受け付けるボタン画像及び広告情報のバージョンの切り換えを受け付けるための選択画面９を広告情報の表示に重ねてＯＳＤ表示するので、ユーザは、表示中の広告情報に複数のバージョンがあることを知ることができ、容易にバージョンの切り換えを行うことができる。
【００３０】
さらに、「ｄ」ボタンに連動してタイムシフトを開始するので、広告情報のバージョンを切り換えた場合に切り換え後の広告情報の最初から表示させることができる。
（３）他の実施形態
（ａ）上記実施形態では、選択画面９は、図３、図４及び図７に示すように、バージョン番号を全て並べたものであったが、図９に示すように選択されている（バージョン番号）／（バージョン数）のように表示しても良い。この場合も、操作部７又はリモコンにより、数字によるダイレクト入力又はアップダウンによりバージョン番号を切り換えるように表示できる。
【００３１】
（ｂ）上記実施形態では、表示部５を備えるデジタル放送受信機を説明したが、外部の表示装置に表示信号を出力するチューナ装置に対しても同様に適用できる。
【００３２】
【発明の効果】
本発明によれば、複数バージョンの広告情報を含む広告情報群を受信するデジタル放送受信機において、ユーザがバージョンを選択して広告情報を見ることができる。
【図面の簡単な説明】
【図１】本発明の一実施形態に係るデジタル放送受信機のブロック図。
【図２】デジタル放送信号に含まれる受信データと表示データの一例。
【図３】バージョン切り換え時の表示画面例（ＣＭ１）。
【図４】バージョン切り換え時の表示画面例（ＣＭ２）。
【図５】バージョン切り換え処理のフローチャート。
【図６】デジタル放送信号に含まれる受信データと表示データの一例。
【図７】タイムシフト開始時の画面例。
【図８】バージョン切り換え処理のフローチャート。
【図９】選択画面の他の例。
【符号の説明】
１  放送受信部
２  記憶制御部
３  記憶部
４  再生部
５  表示部
６  制御部
７  操作部
８  赤外線受信部
９，１１  選択画面
１０  ボタン画像
【図１】
2004229000.tif 000003
【図２】
2004229000.tif 000004
【図３】
2004229000.tif 000005
【図４】
2004229000.tif 000006
【図５】
2004229000.tif 000007
【図６】
2004229000.tif 000008
【図７】
2004229000.tif 000009
【図８】
2004229000.tif 000010
【図９】
2004229000.tif 000011